(57)【要約】【課題】年表などのテーブルを表示する方法としては、雰囲気や娯楽性に富み、より興味をそそられ、背景などをより広範囲かつ詳細に理解できるような情報呈示を行うことができ、年表などのテーブルに対して情報を設定する方法としては、所望の情報を自由に設定でき、いったん設定した後も、その設定を容易に解除または変更できるようにする。【解決手段】年表表示画面３０の年表表示領域４０内に年表１，２，３を表示したとき、その年表１，２，３の表示されている期間（１９７９年）に対して付随情報として設定されている音楽（１９７９年にヒットした「いい日いい時」という曲）を再生出力する。付随情報は、音楽以外の音声情報、映像情報などの画像情報、ニュース情報などの記事情報などでもよい。【選択図】図３
2008083787.tif 000002
【特許請求の範囲】
【請求項１】
軸上に位置づけられる各区間に係る事項をテーブルとして表示する方法であって、
前記テーブルの、ある区間の部分を表示画面の所定領域内に表示したとき、当該区間に対して設定されている情報、または当該区間に係る事項に対して設定されている情報を、付随情報として再生出力することを特徴とするテーブル表示方法。
【請求項２】
軸上に位置づけられる各区間に係る事項をテーブルとして表示する方法であって、
前記テーブルの、ある区間の部分を表示画面の所定領域内に表示したとき、記憶装置に記録されている情報中、またはネットワーク上に存在する情報中から、当該区間に関連づけられる情報、または当該区間に係る事項に関連づけられる情報を、付随情報として選択して、再生出力することを特徴とするテーブル表示方法。
【請求項３】
軸上に位置づけられる各区間に係る事項をテーブルとして表示する場合の情報設定方法であって、
前記テーブルの、ある区間の部分を表示画面の所定領域内に表示した状態で、情報設定が指示されることによって、当該区間に対して、または当該区間に係る事項に対して、指示された情報、または選択した情報を、付随情報として設定するとともに、その設定状態を記憶装置に保存することを特徴とする情報設定方法。
【請求項４】
軸上に位置づけられる各区間に係る事項をテーブルとして表示する場合の情報設定方法であって、
情報設定が指示されることによって、前記テーブル中の指示された区間または事項に対して、指示された情報、または選択した情報を、付随情報として設定するとともに、その設定状態を記憶装置に保存することを特徴とする情報設定方法。
【請求項５】
軸上に位置づけられる各区間に係る事項をテーブルとして表示するように、情報を処理する装置であって、
操作入力手段と、
記憶装置に記録されているテーブルデータ、またはネットワーク上から取得されたテーブルデータを処理して、前記テーブルの、ある区間の部分を表示画面の所定領域内に表示する処理手段と、
この処理手段によって、前記テーブルの、ある区間の部分を前記所定領域内に表示したとき、当該区間に対して設定されている情報、または当該区間に係る事項に対して設定されている情報を、付随情報として再生出力する制御手段と、
を備えることを特徴とする情報処理装置。
【請求項６】
軸上に位置づけられる各区間に係る事項をテーブルとして表示するように、情報を処理する装置であって、
操作入力手段と、
記憶装置に記録されているテーブルデータ、またはネットワーク上から取得されたテーブルデータを処理して、前記テーブルの、ある区間の部分を表示画面の所定領域内に表示する処理手段と、
この処理手段によって、前記テーブルの、ある区間の部分を前記所定領域内に表示したとき、記憶装置に記録されている情報中、またはネットワーク上に存在する情報中から、当該区間に関連づけられる情報、または当該区間に係る事項に関連づけられる情報を、付随情報として選択して、再生出力する制御手段と、
を備えることを特徴とする情報処理装置。
【請求項７】
軸上に位置づけられる各区間に係る事項をテーブルとして表示するとともに、当該テーブルに対して情報を設定するように、情報を処理する装置であって、
操作入力手段と、
記憶装置に記録されているテーブルデータ、またはネットワーク上から取得されたテーブルデータを処理して、前記テーブルの、ある区間の部分を表示画面の所定領域内に表示する処理手段と、
この処理手段によって、前記テーブルの、ある区間の部分を前記所定領域内に表示した状態で、前記操作入力手段により情報設定が指示されることによって、当該区間に対して、または当該区間に係る事項に対して、指示された情報、または選択した情報を、付随情報として設定するとともに、その設定状態を記憶装置に保存する制御手段と、
を備えることを特徴とする情報処理装置。
【請求項８】
軸上に位置づけられる各区間に係る事項をテーブルとして表示するとともに、当該テーブルに対して情報を設定するように、情報を処理する装置であって、
操作入力手段と、
記憶装置に記録されているテーブルデータ、またはネットワーク上から取得されたテーブルデータを処理して、前記テーブルの、ある区間の部分を表示画面の所定領域内に表示する処理手段と、
前記操作入力手段により情報設定が指示されることによって、前記テーブル中の指示された区間または事項に対して、指示された情報、または選択した情報を、付随情報として設定するとともに、その設定状態を記憶装置に保存する制御手段と、
を備えることを特徴とする情報処理装置。
【請求項９】
軸上に位置づけられる各区間に係る事項をテーブルとして表示するためにコンピュータを、
前記テーブルの、ある区間の部分を表示画面の所定領域内に表示したとき、当該区間に対して設定されている情報、または当該区間に係る事項に対して設定されている情報を、付随情報として再生出力する手段、
として機能させるテーブル表示用プログラム。
【請求項１０】
軸上に位置づけられる各区間に係る事項をテーブルとして表示するためにコンピュータを、
前記テーブルの、ある区間の部分を表示画面の所定領域内に表示したとき、記憶装置に記録されている情報中、またはネットワーク上に存在する情報中から、当該区間に関連づけられる情報、または当該区間に係る事項に関連づけられる情報を、付随情報として選択して再生出力する手段、
として機能させるテーブル表示用プログラム。
【請求項１１】
軸上に位置づけられる各区間に係る事項をテーブルとして表示する場合に当該テーブルに対して情報を設定するためにコンピュータを、
前記テーブルの、ある区間の部分を表示画面の所定領域内に表示した状態で、情報設定が指示されることによって、当該区間に対して、または当該区間に係る事項に対して、指示された情報、または選択した情報を、付随情報として設定するとともに、その設定状態を記憶装置に保存する手段、
として機能させる情報設定用プログラム。
【請求項１２】
軸上に位置づけられる各区間に係る事項をテーブルとして表示する場合に当該テーブルに対して情報を設定するためにコンピュータを、
情報設定が指示されることによって、前記テーブル中の指示された区間または事項に対して、指示された情報、または選択した情報を、付随情報として設定するとともに、その設定状態を記憶装置に保存する手段、
として機能させる情報設定用プログラム。
【発明の詳細な説明】
【技術分野】
【０００１】
この発明は、時間軸上に位置づけられる各期間に係る事項を年表として表示するなど、軸上に位置づけられる各区間に係る事項をテーブルとして表示する方法および装置、および、そのテーブルに対して情報を設定する方法および装置に関する。
【背景技術】
【０００２】
歴史的または履歴的な事項を、年表データとして記述し、年表形式で表示することが考えられており、日本史と世界史、社会的な背景と会社の歴史、などを対照年表として表示することも考えられている。
【０００３】
例えば、特許文献１（特開平１１−２４９６４０号公報）には、日時データと事象データとの対からなる年表データによって、ユーザの誕生から今に至るまでの履歴を、０歳から４歳までの期間、５歳から９歳までの期間、１０歳から１４歳までの期間、というような数年ごとの期間に分けて、表示することが示されている。
【０００４】
また、特許文献２（特開２００１−２９０９１３号公報）には、基礎資料の中から必要な情報を抽出して記事データを作成し、記事データベースに登録するとともに、その記事データをもとに素年表を作成し、その素年表をもとに各記事に仮目次コードを付して仮目次を作成し、その仮目次コードによって記事データベースから記事データを抽出して、本文原稿のスタイルに変更し、さらに記事データベースから本文原稿に対応する写真や図表を抽出して、ビジュアル原稿を作成する、という一連の工程を経て、年史を制作することが示されている。
【０００５】
さらに、特許文献３（特開平１１−６６０４９号公報）には、ネットワークを介してユーザ端末と接続されるサーバにおいて、ユーザ端末から年表表示要求があったとき、個人イベントデータベースから要求元の個人履歴情報を読み取り、歴史イベントデータベースから歴史情報を読み取って、両者を対応させて配置した年表を表示するためのデータを生成し、要求元のユーザ端末に送信することが示されている。
【０００６】
上に挙げた先行技術文献は、以下の通りである。
【特許文献１】特開平１１−２４９６４０号公報
【特許文献２】特開２００１−２９０９１３号公報
【特許文献３】特開平１１−６６０４９号公報
【発明の開示】
【発明が解決しようとする課題】
【０００７】
しかしながら、上述した従来の年表表示方法は、単に事項を表示するだけであるため、雰囲気や娯楽性に乏しく、あまり興味をそそることができないとともに、時代的背景や社会的背景などを広範囲かつ詳細に理解することができない。
【０００８】
特許文献２に示された方法では、記事と写真などのビジュアルからなる年表を作成し、表示するが、この方法でも、年表を視覚的にしか捉えることができないとともに、この方法では、写真などのビジュアルが年表データに組み込まれてしまうため、ビジュアルが付加されていない記事に所望のビジュアルを付加し、記事に付加されているビジュアルを削除し、または別のビジュアルに置き換えるなどの、設定や変更が難しい。
【０００９】
そこで、この発明は、年表などのテーブルを表示する方法としては、雰囲気や娯楽性に富み、より興味をそそられ、背景などをより広範囲かつ詳細に理解できるような情報呈示を行うことができ、年表などのテーブルに対して情報を設定する方法としては、所望の情報を自由に設定することができ、いったん設定した後も、その設定を容易に解除または変更することができるようにしたものである。
【課題を解決するための手段】
【００１０】
第１の発明のテーブル表示方法は、
軸上に位置づけられる各区間に係る事項をテーブルとして表示する方法であって、
前記テーブルの、ある区間の部分を表示画面の所定領域内に表示したとき、当該区間に対して設定されている情報、または当該区間に係る事項に対して設定されている情報を、付随情報として再生出力することを特徴とする。
【００１１】
第２の発明のテーブル表示方法は、
軸上に位置づけられる各区間に係る事項をテーブルとして表示する方法であって、
前記テーブルの、ある区間の部分を表示画面の所定領域内に表示したとき、記憶装置に記録されている情報中、またはネットワーク上に存在する情報中から、当該区間に関連づけられる情報、または当該区間に係る事項に関連づけられる情報を、付随情報として選択して、再生出力することを特徴とする。
【００１２】
第３の発明の情報設定方法は、
軸上に位置づけられる各区間に係る事項をテーブルとして表示する場合の情報設定方法であって、
前記テーブルの、ある区間の部分を表示画面の所定領域内に表示した状態で、情報設定が指示されることによって、当該区間に対して、または当該区間に係る事項に対して、指示された情報、または選択した情報を、付随情報として設定するとともに、その設定状態を記憶装置に保存することを特徴とする。
【００１３】
第４の発明の情報設定方法は、
軸上に位置づけられる各区間に係る事項をテーブルとして表示する場合の情報設定方法であって、
情報設定が指示されることによって、前記テーブル中の指示された区間または事項に対して、指示された情報、または選択した情報を、付随情報として設定するとともに、その設定状態を記憶装置に保存することを特徴とする。
【００１４】
上記の第１または第２の発明のテーブル表示方法では、テーブル表示時、表示された区間または事項に対して設定されている情報、または表示された区間または事項に対して装置によって選択された情報が、付随情報として再生出力される。
【００１５】
例えば、年表を表示する場合、表示された年代や暦年に対して設定されている、または表示された年代や暦年に対して装置によって選択された、その年代や暦年を代表するような音楽が、ＢＧＭとして再生出力され、あるいは、「１９６９年７月：アポロ１１号人類初の月着陸」などの、表示された年代や暦年に係るものとして表示された事項に対して設定されている、または当該の事項に対して装置によって選択された、月着陸時にアポロ１１号と管制センターとの間で交わされた会話を録音した音声情報、宇宙飛行士が月面を歩いている様子を録画した映像情報、または月着陸時の様子を詳細に伝えるニュース情報が、音声として再生出力され、映像として再生表示され、または記事として再生表示される。
【００１６】
したがって、年表表示時、雰囲気や娯楽性に富み、より興味をそそられ、背景などをより広範囲かつ詳細に理解できるような情報呈示を行うことができる。
【００１７】
上記の第３の発明の情報設定方法では、テーブルが表示された状態で、ユーザが装置に対して情報設定を指示することによって、表示された区間または事項に対して、ユーザが指示した情報、または装置が選択した情報が、付随情報として設定される。
【００１８】
また、上記の第４の発明の情報設定方法では、テーブルが表示されているか否かを問わず、ユーザが装置に対して情報設定を指示することによって、ユーザが指示した区間または事項に対して、ユーザが指示した情報、または装置が選択した情報が、付随情報として設定される。
【００１９】
したがって、第３または第４の発明では、所望の情報を自由に設定することができ、いったん設定した後も、その設定を容易に解除または変更することができるとともに、設定後は、第１の発明のテーブル表示方法によって、その設定された情報を再生出力することができる。
【発明の効果】
【００２０】
以上のように、この発明によれば、年表などのテーブルを表示する方法としては、雰囲気や娯楽性に富み、より興味をそそられ、背景などをより広範囲かつ詳細に理解できるような情報呈示を行うことができ、年表などのテーブルに対して情報を設定する方法としては、所望の情報を自由に設定することができ、いったん設定した後も、その設定を容易に解除または変更することができる。
【発明を実施するための最良の形態】
【００２１】
［１．システム構成：図１］
図１は、この発明の方法を実行するシステムの一例を示す。
【００２２】
この例のシステムでは、ユーザ側の情報処理装置１０がインターネット１００を介してサーバ９１に接続される。
【００２３】
情報処理装置１０は、情報を処理し、インターネット１００に接続する機能を備えるとともに、音楽データによって音楽を再生し、画像データによって画像を再生する機能を備えるものである。
【００２４】
具体的に、情報処理装置１０は、ＣＰＵ１１を備え、そのバス１２には、年表表示用プログラムおよび情報設定用プログラムを含む各種プログラム、および各種のコンテンツデータや年表データおよび後述の付随情報などのデータが記録保存されるハードディスクなどの内部記憶装置１３、およびプログラムやデータが展開されるメインメモリ１４が接続される。
【００２５】
また、バス１２には、操作入力部１５が接続されるとともに、音声処理部１６を介して音声出力部１７が接続され、表示処理部１８を介してディスプレイ１９が接続される。
【００２６】
音声処理部１６は、音楽データなどの音声データを復号処理するものであり、音声出力部１７は、音声増幅回路およびスピーカ（ヘッドホン）であり、表示処理部１８は、画像データや画面データを復号処理するものであり、ディスプレイ１９は、画像や画面を表示する液晶ディスプレイや有機ＥＬディスプレイなどである。
【００２７】
さらに、バス１２には、外部のローカルストレージ２５と接続するための外部インタフェース２１、およびインターネット１００に接続するための外部ネットワークインタフェース２２が接続される。
【００２８】
ローカルストレージ２５には、各種のコンテンツデータや年表データおよび後述の付随情報などのデータが記録保存され、ローカルストレージ２５から情報処理装置１０に、それらのデータが取り込まれる。
【００２９】
サーバ９１は、Ｗｅｂサイト上のＷｅｂサービスとして、各種の年表やコンテンツなどを提供し、情報処理装置１０からの要求に応じて情報処理装置１０に、年表データやコンテンツデータなどのデータを送信するもので、これには、各種の年表データやコンテンツデータなどのデータが蓄積されるネットワークストレージ９２が接続される。
【００３０】
サーバ９１から情報処理装置１０に送信される年表データに対しては、付随情報として、音楽情報などの音声情報、映像情報などの画像情報、ニュース情報などの記事情報などが設定される。その付随情報も、ネットワークストレージ９２に蓄積され、情報処理装置１０からの要求に応じて情報処理装置１０に送信される。
【００３１】
［２．年表の表示と付随情報の再生出力：図２〜図６］
図１の例のシステムでは、情報処理装置１０は、以下のように、年表を表示し、付随情報を再生出力する。
【００３２】
年表表示のための年表データは、外部ネットワーク上に存在するものでも、ローカルに存在するものでもよい。
【００３３】
以下では、最初に、外部ネットワーク上に存在する年表データ、すなわち図１の例ではサーバ９１側のネットワークストレージ９２に記録されていてＷｅｂサイトで提供される年表データをもとに、複数の年表が配列されたマルチ年表を作成表示する場合を示し、外部ネットワーク上に存在する年表データをもとに、１つの年表を表示する場合や、ローカルに存在する年表データ、すなわち図１の例では内部記憶装置１３またはローカルストレージ２５に記録されている年表データをもとに、マルチ年表を作成表示し、または１つの年表を表示する場合については、後述する。
【００３４】
付随情報は、上記のように、あらかじめ年表（年表データ）に対して設定されているか、年表表示時、情報処理装置１０またはサーバ９１によって選択されるが、以下では、最初に、あらかじめ年表（年表データ）に対して付随情報が設定されている場合を示し、年表表示時、情報処理装置１０またはサーバ９１によって付随情報が選択される場合については、後述する。
【００３５】
（２−１．あらかじめ年表に対して付随情報が設定されている場合：図２〜図６）
（２−１−１．マルチ年表を作成表示する場合：図２〜図６）
図２〜図６に、あらかじめ各年表に対して付随情報として音楽が設定されていて、かつマルチ年表を作成表示する場合の例を示す。
【００３６】
＜付随情報の設定および取得＞
付随情報としての音楽は、例えば、あるＷｅｂサイトで提供される各年表に対しては、同じ曲が設定されているとともに、その各年表の、１９７０年代、１９８０年代、１９９０年代というような年代、１９７９年、１９８０年、１９８１年というような暦年、または１９７９年１月、１９７９年２月、１９７９年３月というような年月に対して、それぞれの年代、暦年または年月を代表する曲が設定されている。
【００３７】
その付随情報としての音楽データは、年表データと一緒に、または年表データとは別に、サーバ９１から情報処理装置１０に送信されて、情報処理装置１０の音声処理部１６で処理され、音声出力部１７からＢＧＭ（Ｂａｃｋ  Ｇｒｏｕｎｄ  Ｍｕｓｉｃ）として再生出力される。
【００３８】
＜マルチ年表の作成表示と付随情報の再生出力＞
ユーザは、マルチ年表を作成表示しようとするときには、操作入力部１５での操作によって、Ｗｅｂブラウザを起動させ、上記のＷｅｂサイトにアクセスする。
【００３９】
これによって、ディスプレイ１９上には、例えば、図２に示すような年表表示画面３０が表示される。
【００４０】
具体的に、図２の例の年表表示画面３０は、画面上部に、表示メニュー選択部３１を示し、その下に、時間軸設定部３２、期間指示部３３、表示幅指定部３４、高さ指定部３５およびＢＧＭオンオフ設定部３６を示し、その下に、年表表示領域４０を設けたものである。
【００４１】
表示メニュー選択部３１は、プルダウンメニュー方式によって、時間軸または後述のような各種の年表中のいずれかを選択するものであり、時間軸設定部３２は、時間軸として“Ｄｅｃａｄｅ”，“Ｙｅａｒ”，“Ｍｏｎｔｈ”のいずれを表示するかを設定するものである。
【００４２】
期間指示部３３は、時間軸として表示される期間を指示または表示するものであり、表示幅指定部３４は、年表表示領域４０に表示される各年表の表示幅（画面横方向の幅）を指定するものであり、高さ指定部３５は、年表表示領域４０の高さ（画面縦方向の幅）を指定するものである。
【００４３】
表示幅指定部３４で特に表示幅を指定しないときには、年表表示領域４０に３つの年表を均等な表示幅で画面横方向に並べて表示できるようにされ、高さ指定部３５で特に高さを指定しないときには、年表表示方法はデフォルトの高さにされる。
【００４４】
ＢＧＭオンオフ設定部３６は、年表表示時、上記のように付随情報として設定されている音楽を、ＢＧＭとして再生出力するか否かを設定するもので、以下の例は、オンに（音楽が再生出力されるように）設定される場合である。
【００４５】
年表表示領域４０の右側には、スクロールボタン４７，４８およびスクロールバー４９を設け、年表表示領域４０に表示された年表を画面縦方向にスクロールできるようにする。
【００４６】
表示メニュー選択部３１の上側には、各種操作のためのボタン群３７，３８および３９が表示され、ボタン群３７〜３９の上側には、Ｗｅｂサイトのアドレス（ＵＲＬ）などが表示される。
【００４７】
ユーザは、まず、表示メニュー選択部３１で時間軸を選択し、時間軸設定部３２で“Ｄｅｃａｄｅ”，“Ｙｅａｒ”，“Ｍｏｎｔｈ”のいずれかを指示する。
【００４８】
“Ｙｅａｒ”が指示された場合、図２に示すように、年表表示領域４０の左辺部に、時間軸４１として暦年が表示される。ただし、図２は、このとき、期間指示部３３で“１９７９”が指示されることによって、時間軸４１として１９７９年が表示された場合である。
【００４９】
この状態で、ユーザが、表示メニュー選択部３１で、Ｗｅｂサイトで提供される各種の年表から、「Ｓ社の製品の歩み」というタイトルの年表を選択すると、情報処理装置１０で、当該の年表のデータが取得され、ＣＰＵ１１によって、図２に示すように、年表表示領域４０内の時間軸４１に隣接する左側の領域４２に、当該の年表１が配置表示されるとともに、領域４２の上側に、当該の年表１のタイトル、および年表１を閉じるためのボタン４２ｘが表示される。
【００５０】
年表１は、Ｓ社の製品の歩みを示したもので、図２は、そのうちの１９７９年に発売された１つの代表的な製品を紹介する写真および記述が表示されたものである。
【００５１】
同時に、このとき、年表１の１９７９年の期間に対して付随情報として設定されている音楽、例えば１９７９年にヒットした「いい日いい時」という曲が、ＢＧＭとして再生出力され、年表表示画面３０の表示メニュー選択部３１の下側には、その曲のアーチスト名やタイトルおよびジャケット写真が表示される。
【００５２】
この状態で、ユーザが、表示メニュー選択部３１で、Ｗｅｂサイトで提供される各種の年表から、「日本のＴＶアニメ」というタイトルの年表を選択すると、情報処理装置１０で、当該の年表のデータが取得され、ＣＰＵ１１によって、図３に示すように、年表表示領域４０内の領域４２に隣接する中央の領域４３に、当該の年表２が配置表示されるとともに、領域４３の上側に、当該の年表２のタイトル、および年表２を閉じるためのボタン４３ｘが表示される。
【００５３】
年表２は、日本のＴＶアニメの歴史を示したもので、図３は、そのうちの１９７９年に放送された２つの代表的なアニメを示す画像が表示されたものである。
【００５４】
同時に、このとき、年表２の１９７９年の期間に対して付随情報として設定されている音楽が、ＢＧＭとして再生出力される。
【００５５】
ただし、この例では、上記のように各年表の同じ暦年に対しては同じ曲が設定されているので、年表２の表示前の年表１が表示されていた時に再生出力されていた「いい日いい時」という曲が、途中で先頭に戻ることなく、引き続いて再生出力される。
【００５６】
さらに、この状態で、ユーザが、表示メニュー選択部３１で、Ｗｅｂサイトで提供される各種の年表から、「もりえもん年表」というタイトルの年表を選択すると、情報処理装置１０で、当該の年表のデータが取得され、ＣＰＵ１１によって、図３に示すように、年表表示領域４０内の領域４３に隣接する右側の領域４４に、当該の年表３が配置表示されるとともに、領域４４の上側に、当該の年表３のタイトル、および年表３を閉じるためのボタン４４ｘが表示される。
【００５７】
年表３は、主人公の名前が“もりえもん”という漫画の誕生から現在に至るまでの出版やアニメ化などの履歴を示したもので、図３は、そのうちの１９７９年にあった７つの事項が表示されたものである。
【００５８】
同時に、このとき、年表３の１９７９年の期間に対して付随情報として設定されている音楽、すなわち上記の「いい日いい時」という曲が、途中で先頭に戻ることなく、引き続いて再生出力される。
【００５９】
以上の方法によって、年表表示画面３０の年表表示領域４０に、３つの年表１，２，３が画面横方向に配列されて表示され、マルチ年表が作成されるとともに、そのマルチ年表の作成過程および作成後を通じて、付随情報として設定されている音楽が、ＢＧＭとして再生出力される。
【００６０】
図３の状態では、年表表示領域４０には各年表の１９７９年の部分しか表示されないが、年表データとしては、それぞれの取得されたデータが全て、メインメモリ１４上および表示処理部１８内の表示用メモリ上に展開保持され、スクロールボタン４７，４８またはスクロールバー４９の操作によるスクロールによって、各年表の１９７８年以前および１９８０年以後の部分が年表表示領域４０に表示される。
【００６１】
図４に、各年表の１９８０年の部分が表示された状態を示す。年表１には２つの事項が示され、年表２には１つの事項が示され、年表３には７つの事項が示されているものである。
【００６２】
このように各年表の１９８０年の部分が表示されたときには、各年表の１９８０年の期間に対して付随情報として設定されている音楽、例えば１９８０年にヒットした「青いハンカチ」という曲が、ＢＧＭとして再生出力され、年表表示画面３０の表示メニュー選択部３１の下側には、その曲のアーチスト名やタイトルおよびジャケット写真が表示される。
【００６３】
ユーザが、表示メニュー選択部３１で時間軸を選択する際、時間軸設定部３２で“Ｄｅｃａｄｅ”を指示し、かつ、上記の例と同様に、表示メニュー選択部３１で、「Ｓ社の製品の歩み」というタイトルの年表、「日本のＴＶアニメ」というタイトルの年表、および「もりえもん年表」というタイトルの年表を、順次選択した場合には、ズームアウトとして、図５に示すように、年表表示領域４０に、時間軸４１として１０年単位の年代が表示されるとともに、領域４２，４３，４４に、それぞれ年表１，２，３の、当該の年代の部分が表示されて、マルチ年表が作成される。
【００６４】
ただし、図５は、時間軸４１として１９７０年代が表示され、年表１として、Ｓ社の製品中の１９７０年代に発売された３つの代表的な製品を紹介する写真および記述が表示され、年表２として、日本のＴＶアニメ中の１９７０年代に放送された３つの代表的なアニメを示す画像が表示され、年表３として、漫画“もりえもん”につき１９７０年代にあった幾つかの事項が表示された場合である。
【００６５】
同時に、このとき、各年表の１９７０年代の期間に対して付随情報として設定されている音楽、例えば１９７０年代に最もヒットした「夜空に星がある限り」という曲が、ＢＧＭとして再生出力され、年表表示画面３０の表示メニュー選択部３１の下側には、その曲のアーチスト名やタイトルおよびジャケット写真が表示される。
【００６６】
また、ユーザが、表示メニュー選択部３１で時間軸を選択する際、時間軸設定部３２で“Ｍｏｎｔｈ”を指示し、かつ、上記の例と同様に、表示メニュー選択部３１で、「Ｓ社の製品の歩み」というタイトルの年表、「日本のＴＶアニメ」というタイトルの年表、および「もりえもん年表」というタイトルの年表を、順次選択した場合には、ズームインとして、図示していないが、年表表示領域４０に、時間軸４１として１か月単位の年月が表示されるとともに、領域４２，４３，４４に、それぞれ年表１，２，３の、当該の年月の部分が表示されて、マルチ年表が作成される。
【００６７】
この場合も、各年表に対して付随情報として設定されている音楽が、ＢＧＭとして再生出力されるが、このように年表の月ごとの部分が表示される場合には、例えば、月ごとに別の曲が設定されることなく、上記のように暦年ごとに設定される曲が、そのまま当該の暦年の１月から１２までの各月に対して設定され、年表中の表示される部分が、例えば１９７９年１月から１９７９年１２月までの各月のいずれの部分であっても、例えば上記の「いい日いい時」という曲が再生出力されるように、システムを構成してもよい。
【００６８】
＜マルチ年表の編集および保存＞
上記のように作成されたマルチ年表については、年表の入れ替えや並べ替えなどの編集を行うことができる。
【００６９】
年表の入れ替えについては、年表表示領域４０に配置表示された一部または全部の年表に替えて、別途取得された年表を年表表示領域４０に配置表示することができる。例えば、図３の状態で、ボタン４２ｘを操作して年表１（Ｓ社の製品の歩み）を閉じ、表示メニュー選択部３１で別の年表を選択して、その別の年表を領域４２に配置表示することができる。
【００７０】
年表の並べ替えについては、例えば、図３に示したように、年表表示領域４０内の左側の領域４２に年表１（Ｓ社の製品の歩み）が配置表示され、中央の領域４３に年表２（日本のＴＶアニメ）が配置表示され、右側の領域４４に年表３（もりえもん年表）が配置表示された状態のマルチ年表の、左右の年表１，３を入れ替えて、年表表示領域４０内の左側の領域４２に年表３（もりえもん年表）が配置表示され、中央の領域４３に年表２（日本のＴＶアニメ）が配置表示され、右側の領域４４に年表１（Ｓ社の製品の歩み）が配置表示された状態のマルチ年表を作成することができる。
【００７１】
作成後（上記の編集も作成の一工程である）のマルチ年表のデータは、内部記憶装置１３またはローカルストレージ２５に保存できるようにする。
【００７２】
このとき、上記のように情報処理装置１０で取得した付随情報としての音楽データも、当該のマルチ年表データに対応づけて、内部記憶装置１３またはローカルストレージ２５に保存できるようにすることが望ましい。これによれば、別の機会に、当該のマルチ年表をディスプレイ１９上に表示するとき、付随情報としての音楽も再生出力することができる。
【００７３】
＜情報処理装置のＣＰＵが実行する処理＞
図６に、以上のようにマルチ年表を作成表示し、付随情報としての音楽を再生出力する場合に、情報処理装置１０のＣＰＵ１１が実行する処理の一例を示す。
【００７４】
ただし、この例では、ユーザが表示メニュー選択部３１で時間軸を選択したときの処理などの細目的な処理は省略し、かつ、ＢＧＭオンオフ設定部３６ではＢＧＭがオンに設定されるものとしている。
【００７５】
この例では、各種の年表を提供するＷｅｂサイトにアクセスすることによって、全体の処理を開始して、まずステップ５１で、ディスプレイ１９上に、図２に示したような年表表示画面３０を表示する。ただし、この時点では、年表表示領域４０に年表が配置表示されていない。
【００７６】
次に、ステップ５２で、全体の処理を終了するか否かを判断し、ユーザが年表表示画面３０を閉じるなどによって全体の処理を終了するときには、ステップ５９に進んで、後述のような終了処理を実行した上で、全体の処理を終了するが、全体の処理を終了しないときには、ステップ５３に進んで、年表を配置表示するか否かを判断する。
【００７７】
そして、ユーザが年表を選択したときには、ステップ５３からステップ５４に進んで、その選択された年表を配置表示し、さらにステップ５５に進んで、付随情報としての代表曲を再生出力した上で、ステップ５２に戻る。
【００７８】
一方、ユーザが年表を選択しなかったときには、ステップ５３からステップ５６に進んで、表示する年代、暦年または年月を変更するか否かを判断する。
【００７９】
そして、ユーザが上記のようなスクロール操作をしたことによって、表示する年代、暦年または年月を変更するときには、ステップ５６からステップ５７に進んで、そのスクロール操作に応じて、表示する年代、暦年または年月を変更し、さらにステップ５８に進んで、表示する年代、暦年または年月の変更に応じて、付随情報としての代表曲を再生出力した上で、ステップ５２に戻る。
【００８０】
ステップ５６で、表示する年代、暦年または年月を変更しないと判断したときには、ステップ５２に戻る。
【００８１】
ステップ５９での終了処理としては、ユーザに対して作成後のマルチ年表を保存するか否かを問い、これに対してユーザが保存を指示し、保存先を指定したときには、作成後のマルチ年表を、指定された保存先に記録する。
【００８２】
＜期間に係る事項に対して付随情報が設定されている場合＞
各年表の年代、暦年または年月などの期間に係る事項に対して付随情報が設定されていてもよい。
【００８３】
例えば、図３に示したようにマルチ年表を作成表示する場合に、年表１の１９７９年の期間については、その１つの事項に対して曲が設定され、年表２の１９７９年の期間については、その２つの事項に対して別の曲が設定され、年表３の１９７９年の期間については、その７つの事項に対して別の曲が設定されている場合である。
【００８４】
この場合には、例えば、年表１の１９７９年の期間が表示されたときには、その１つの事項に対して設定されている曲が再生出力され、年表２の１９７９年の期間が表示されたときには、その２つの事項中の、クリック操作などによりユーザが指示した事項に対して設定されている曲が再生出力され、年表３の１９７９年の期間が表示されたときには、その７つの事項中の、同様にユーザが指示した事項に対して設定されている曲が再生出力され、年表１，２，３が配列されたマルチ年表の作成後は、年表１，２，３中のユーザが指示した事項に対して設定されている曲が再生出力されるようにする。
【００８５】
（２−１−２．１つの年表を表示する場合）
上記の例は、マルチ年表を作成表示する場合であるが、年表表示画面の年表表示領域内に１つの年表を表示する場合も、全く同じである。
【００８６】
（２−１−３．年表データがローカルに存在する場合）
上記の例は、年表データが外部ネットワーク上に存在する場合であるが、年表データがローカルに存在する場合も、同じである。
【００８７】
具体的に、この場合、情報処理装置１０は、年表表示画面で、内部記憶装置１３またはローカルストレージ２５に記録されている各種の年表を呈示し、ユーザに年表を選択させるようにする。
【００８８】
（２−２．年表表示時に付随情報を選択する場合）
上記の各例は、あらかじめ年表に対して付随情報として音楽が設定されている場合であるが、年表表示時、情報処理装置１０またはサーバ９１によって、付随情報としての音楽が選択されるように構成することもできる。
【００８９】
例えば、情報処理装置１０で選択する場合には、ある年表の、１９７９年というような、ある期間を表示したとき、ＣＰＵ１１は、内部記憶装置１３またはローカルストレージ２５に記録されている情報中から、当該の期間に関連づけられる情報を、付随情報として選択して、再生出力する。
【００９０】
サーバ９１で選択する場合には、情報処理装置１０からサーバ９１に、現に年表表示画面の年表表示領域内に時間軸として表示されている期間を示して、付随情報の選択および送信を要求し、これを受けてサーバ９１が、ネットワークストレージ９２に記録されている情報中から、当該の期間に関連づけられる情報を、付随情報として選択して、情報処理装置１０に送信し、情報処理装置１０が、その付随情報を受信し、再生出力する。
【００９１】
［３．情報設定方法：図７および図８］
図１の例のシステムでは、上述したような年表の表示および付随情報の再生出力を実現するために、情報処理装置１０は、以下のように、年表に対して付随情報を設定する。
【００９２】
（３−１．年表が表示されている状態での付随情報の設定：図７および図８）
付随情報の設定は、１つの方法として、年表表示画面の年表表示領域内に年表が表示されている状態で、ユーザの指示によって実行する。
【００９３】
図７に、その一例を示す。この例では、年表表示画面６０は、画面上部に表題部６１を示し、その右側に情報設定用のボタン６２を設け、表題部６１の下に年表表示領域６３を設けたものである。年表表示領域６３は、上辺部に時間軸６４が表示され、その下部領域が事項表示部６５と付随情報表示部６６とに分割される。
【００９４】
年表表示領域６３の下側には、スクロールボタン６７，６８およびスクロールバー６９を設け、年表表示領域６３に表示された年表を画面横方向にスクロールできるようにする。
【００９５】
図７は、年表表示領域６３に、“Ｊａｐａｎｅｓｅ  Ｓｏｎｇｓ”というタイトルの年表５の１９７０年代の期間が表示された状態である。
【００９６】
この状態で、ユーザがボタン６２を操作すると、年表表示領域６３の右下部に、設定用画面７１が表示される。
【００９７】
設定用画面７１は、例えば、ユーザが、付随情報を指定するか、付随情報としての記事を入力するか、付随情報の選択を情報処理装置１０に委ねるかを、指示するものとする。
【００９８】
ユーザは、１９７０年代に関連づけられる情報として適切な画像や記事などのデータファイルが、内部記憶装置１３またはローカルストレージ２５に記録されているときには、「指定する」をチェックし、そのファイル名を指定欄７２に入力した上で、決定ボタン７４を操作すればよい。
【００９９】
これによって、情報処理装置１０のＣＰＵ１１は、そのデータファイルを、年表５の１９７０年代の期間に対する付随情報として設定する。
【０１００】
また、ユーザは、みずから記事を入力して付随情報としようとするときには、「入力する」をチェックし、入力欄７３に記事を入力した上で、決定ボタン７４を操作すればよい。
【０１０１】
これによって、情報処理装置１０のＣＰＵ１１は、入力された記事をデータファイルとし、そのデータファイルにファイル名を付して、そのデータファイルを、年表５の１９７０年代の期間に対する付随情報として設定する。
【０１０２】
さらに、ユーザは、付随情報の選択を情報処理装置１０に委ねるときには、「選択を委ねる」をチェックした上で、決定ボタン７４を操作すればよい。
【０１０３】
これによって、情報処理装置１０のＣＰＵ１１は、内部記憶装置１３またはローカルストレージ２５に記録されているデータ中から、年表５の１９７０年代の期間に対する付随情報として適切なものを選択して、年表５の１９７０年代の期間に対する付随情報として設定する。
【０１０４】
ユーザが上記の操作を繰り返すことによって、同じ年表の同じ期間に対する付随情報として複数の情報を設定することも可能である。
【０１０５】
また、スクロール操作によって、年表表示領域６３に年表５の違う年代の期間を表示した上で、上記の操作を行うことによって、年表５の違う年代の期間に対しても、付随情報を設定させることができる。
【０１０６】
上記のように付随情報を設定すると、図８に示すように、その付随情報が直ちに再生出力される。図８は、年表５の１９７０年代の期間に対して、付随情報として記事および画像が設定された場合で、その記事７６は記事表示部６６に表示され、その画像７８は年表表示領域６３の右下部に設定された画像表示領域７７に表示される。
【０１０７】
ある期間に係る事項に対して付随情報を設定することもできる。この場合には、例えば、図７のように当該の期間が表示された状態で、ユーザが、ボタン６２を操作する前、または操作した後に、クリック操作などにより設定対象の事項を指示するように、構成すればよい。
【０１０８】
（３−２．年表が表示されていない状態での付随情報の設定）
設定対象の年表が表示されていない状態で、当該の年表に対して付随情報を設定することもできる。
【０１０９】
この場合には、ユーザが、設定用画面を開き、その画面上で、設定対象の年表を指定し、設定対象の期間または事項を指定するとともに、上記のように付随情報を指定または入力し、または付随情報の選択を情報処理装置１０に委ねるように、構成すればよい。
【０１１０】
［４．他の例および実施形態：図９］
（４−１．時間軸について）
上述した各例は、時間軸として年代、暦年または年月を表示し、年表を表示する場合であるが、この発明は、年表を表示する場合に限らず、時間軸上に位置づけられる各期間に係る事項をテーブルとして表示する場合に適用することができる。
【０１１１】
具体的に、時間軸としては、
（ａ）１９世紀、２０世紀、２１世紀などというように世紀を表示したもの、
（ｂ）上記の各例のように年代、暦年または年月を表示したもの、
（ｃ）日、時、分または秒の単位まで表示したもの、
（ｄ）その他の期間を示したもの、
とすることができる。
【０１１２】
その他の期間を示した時間軸は、４年に１回などというように定期的に開催されたイベントの開催回、開催時期および開催地を「第１回１９５５年７月フランス、第２回１９５９年６月イギリス、第３回１９６３年７月ドイツ」などというように表示したものや、複数フレームまたは複数サンプルに渡る期間を「第１フレーム、第２フレーム、第３フレーム」または「第１サンプル、第２サンプル、第３サンプル」というように表示したものなどである。
【０１１３】
（４−２．時間軸ではない軸：図９）
さらに、この発明は、上記のような時間軸上に位置づけられる各期間に係る事項を年表などのテーブルとして表示する場合に限らず、時間的、空間的、地域的または場所的な、または分類上や順位上の、軸上に位置づけられる各区間に係る事項を、テーブルとして表示する場合に適用することができる。
【０１１４】
図９に、その一例を示す。この例では、テーブル表示画面８０は、画面上部に表題部８１を示し、その右側に情報設定用のボタン８２を設け、表題部８１の下にテーブル表示領域８３を設けたものである。テーブル表示領域８３には、例えば、左辺部に緯度軸８４が表示され、上辺部に経度軸８５が表示される。
【０１１５】
また、例えば、テーブル表示領域８３の右側には、スクロールボタン８７ｎ，８８ｎおよびスクロールバー８９ｎを設け、テーブル表示領域８３に表示されたテーブルを画面縦方向（緯度方向）にスクロールできるようにするとともに、テーブル表示領域８３の下側には、スクロールボタン８７ｅ，８８ｅおよびスクロールバー８９ｅを設け、テーブル表示領域８３に表示されたテーブルを画面横方向（経度方向）にスクロールできるようにする。
【０１１６】
図９は、テーブル表示領域８３に、「富士五湖地方」というタイトルのテーブル９の北緯３５度〜３６度および東経１３７度〜１３９度の地域（区間）が表示された状態である。テーブル９は、事項として、地図のように道路などを示し、または各地域の特徴などを記述したものである。
【０１１７】
この状態で、ユーザがボタン８２を操作すると、図７に示した方法と同様の方法によって、テーブル９の北緯３５度〜３６度および東経１３７度〜１３９度の地域に対して、付随情報として音楽などを設定することができる。
【０１１８】
さらに、このように付随情報として音楽が設定されると、図９のようにテーブル表示領域８３にテーブル９の北緯３５度〜３６度および東経１３７度〜１３９度の地域が表示されたとき、その音楽が再生出力される。
【０１１９】
この例を、ナビゲーションシステムに適用して、上記のようなスクロールに替えて、走行中の車両や歩行中のユーザの現在位置が常にテーブル表示領域８３内に表示されるように、テーブル表示領域８３内でテーブル９が自動的に移動するように構成すれば、ユーザは、曲の切り替えをすることなく、車両やユーザの移動に伴って、それぞれの地域に関連づけられた音楽を聴き、楽しむことができる。
【０１２０】
なお、テーブル表示領域８３には、必ずしも、緯度軸８４および経度軸８５を表示する必要はない。
【０１２１】
また、緯度や経度をスクロールするのではなく、例えば、地名や駅名などのポイントをシフトすることによって、鉄道や航空機の路線や高速道路のサービスエリアごとに地図がシフトされ、再生出力される音楽などが変わるように構成することもできる。
【０１２２】
さらに、表示されるエリアをシフトする場合に限らず、ある点を中心点として、表示されるエリアを拡大縮小する場合に、その拡大縮小に応じて、再生出力される音楽などが変わるように構成することもできる。
【０１２３】
例えば、「東京グローバルランド」という名の広い施設内の「ブルースカイワールド」という名の施設が地図の中心にあっても、再生出力される音楽が、地図の縮尺に応じて変わって、縮尺が最も小さい（表示されるエリアが最も狭い）ときには、「ブルースカイワールド」という曲になり、縮尺が大きくなる（表示されるエリアが広くなる）に従って、「東京グローバルランド」を代表する「小熊のマーチ」という曲、東京を代表する「東京音頭」という曲、または日本の国歌「君が代」になるようにする。
【図面の簡単な説明】
【０１２４】
【図１】この発明のシステムの一例を示す図である。
【図２】マルチ年表の作成表示過程の一例を示す図である。
【図３】作成表示されたマルチ年表の一例を示す図である。
【図４】作成表示されたマルチ年表の一例を示す図である。
【図５】作成表示されたマルチ年表の一例を示す図である。
【図６】ＣＰＵが実行する処理の一例を示す図である。
【図７】付随情報を設定する方法の一例を示す図である。
【図８】付随情報設定後の年表表示の一例を示す図である。
【図９】年表以外のテーブルを表示する場合の一例を示す図である。
【符号の説明】
【０１２５】
主要部については図中に全て記述したので、ここでは省略する。
【図１】
2008083787.tif 000003
【図２】
2008083787.tif 000004
【図３】
2008083787.tif 000005
【図４】
2008083787.tif 000006
【図５】
2008083787.tif 000007
【図６】
2008083787.tif 000008
【図７】
2008083787.tif 000009
【図８】
2008083787.tif 000010
【図９】
2008083787.tif 000011